【手続補正書】
【提出日】平成30年2月27日(2018.2.27)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、前記方法が、
第１のレイヤおよび少なくとも１つの第２のレイヤを含むビデオデータのマルチレイヤビットストリームのアクセスユニットを取得することと、ここにおいて、前記アクセスユニットを取得することが、前記第１のレイヤの１つまたは複数のビデオコーディングレイヤ（ＶＣＬ）ネットワーク抽象化レイヤ（ＮＡＬ）ユニットを取得することと、前記第２のレイヤの１つまたは複数のＶＣＬ  ＮＡＬユニットを取得することとを備える、
前記アクセスユニットを復号することと、ここにおいて、前記アクセスユニットを復号することが、前記ビットストリームが、前記第１のレイヤの前記ＶＣＬ  ＮＡＬユニットと、１つまたは複数の第１の非ＶＣＬ  ＮＡＬユニットとの間に、前記第１のレイヤ以外の任意のレイヤのいずれのコーディングされたピクチャも含まず、前記第２のレイヤの前記ＶＣＬ  ＮＡＬユニットと、１つまたは複数の第２の非ＶＣＬ  ＮＡＬユニットとの間に、前記第２のレイヤ以外の任意のレイヤのいずれのコーディングされたピクチャも含まないように、前記第１のレイヤの前記ＶＣＬ  ＮＡＬユニットとともに、前記第１のレイヤの前記ＶＣＬ  ＮＡＬユニットに適用可能な第１のＳＥＩメッセージを含む前記１つまたは複数の第１の非ＶＣＬ  ＮＡＬユニットを復号すること、および前記第２のレイヤの前記ＶＣＬ  ＮＡＬユニットとともに、前記第２のレイヤの前記ＶＣＬ  ＮＡＬユニットに適用可能な第２のＳＥＩメッセージを含む前記１つまたは複数の第２の非ＶＣＬ  ＮＡＬユニットを復号することを備える、
を備える、方法。
【請求項２】
ビデオデータを符号化する方法であって、前記方法が、
第１のレイヤおよび少なくとも１つの第２のレイヤを含むビデオデータのマルチレイヤビットストリームのアクセスユニットを取得することと、ここにおいて、前記アクセスユニットを取得することが、前記第１のレイヤの１つまたは複数のビデオコーディングレイヤ（ＶＣＬ）ネットワーク抽象化レイヤ（ＮＡＬ）ユニットを取得することと、前記第２のレイヤの１つまたは複数のＶＣＬ  ＮＡＬユニットを取得することとを備える、
前記アクセスユニットを符号化することと、ここにおいて、前記アクセスユニットを符号化することが、前記ビットストリームが、前記第１のレイヤの前記ＶＣＬ  ＮＡＬユニットと、１つまたは複数の第１の非ＶＣＬ  ＮＡＬユニットとの間に、前記第１のレイヤ以外の任意のレイヤのいずれのコーディングされたピクチャも含まず、前記第２のレイヤの前記ＶＣＬ  ＮＡＬユニットと、１つまたは複数の第２の非ＶＣＬ  ＮＡＬユニットとの間に、前記第２のレイヤ以外の任意のレイヤのいずれのコーディングされたピクチャも含まないように、前記第１のレイヤの前記ＶＣＬ  ＮＡＬユニットとともに、前記第１のレイヤの前記ＶＣＬ  ＮＡＬユニットに適用可能な第１のＳＥＩメッセージを含む前記１つまたは複数の第１の非ＶＣＬ  ＮＡＬユニットを符号化すること、および前記第２のレイヤの前記ＶＣＬ  ＮＡＬユニットとともに、前記第２のレイヤの前記ＶＣＬ  ＮＡＬユニットに適用可能な第２のＳＥＩメッセージを含む前記１つまたは複数の第２の非ＶＣＬ  ＮＡＬユニットを符号化することを備える、
を備える、方法。
【請求項３】
前記１つまたは複数の第１の非ＶＣＬ  ＮＡＬユニットを復号することが、前記マルチレイヤビットストリームにおいて前記第１のレイヤの前記ＶＣＬ  ＮＡＬユニットに直接隣り合う前記１つまたは複数の第１の非ＶＣＬ  ＮＡＬユニットを復号することを備え、前記方法がさらに、前記マルチレイヤビットストリームにおいて第２のレイヤの第２のＶＣＬ  ＮＡＬユニットに直接隣り合う前記１つまたは複数の第２の非ＶＣＬ  ＮＡＬユニットを復号することを備える、請求項１に記載の方法、または、
前記１つまたは複数の第１の非ＶＣＬ  ＮＡＬユニットを符号化することが、前記マルチレイヤビットストリームにおいて前記第１のレイヤの前記ＶＣＬ  ＮＡＬユニットに直接隣り合う前記１つまたは複数の第１の非ＶＣＬ  ＮＡＬユニットを符号化することを備え、前記方法がさらに、前記マルチレイヤビットストリームにおいて第２のレイヤの第２のＶＣＬ  ＮＡＬユニットに直接隣り合う前記１つまたは複数の第２の非ＶＣＬ  ＮＡＬユニットを符号化することを備える、請求項２に記載の方法。
【請求項４】
前記第１のレイヤの前記ＶＣＬ  ＮＡＬユニットが前記第１のレイヤの第１のピクチャのＶＣＬ  ＮＡＬユニットであり、前記第１のＳＥＩメッセージが前記第１のレイヤの前記第１のピクチャに適用可能な第１のプレフィックスＳＥＩメッセージを備え、前記第１のレイヤの前記ＶＣＬ  ＮＡＬユニットとともに、前記第１のプレフィックスＳＥＩメッセージを含む前記１つまたは複数の第１の非ＶＣＬ  ＮＡＬユニットを復号することが、前記ビットストリームにおいて前記第１のレイヤの前記ＶＣＬ  ＮＡＬユニットに先行する前記１つまたは複数の第１の非ＶＣＬ  ＮＡＬユニットを復号することを備える、請求項１に記載の方法、または
前記第１のレイヤの前記ＶＣＬ  ＮＡＬユニットが前記第１のレイヤの第１のピクチャのＶＣＬ  ＮＡＬユニットであり、前記第１のＳＥＩメッセージが前記第１のレイヤの前記第１のピクチャに適用可能な第１のプレフィックスＳＥＩメッセージを備え、前記第１のレイヤの前記ＶＣＬ  ＮＡＬユニットとともに、前記第１のプレフィックスＳＥＩメッセージを含む前記１つまたは複数の第１の非ＶＣＬ  ＮＡＬユニットを符号化することが、前記ビットストリームにおいて前記第１のレイヤの前記ＶＣＬ  ＮＡＬユニットに先行する前記１つまたは複数の第１の非ＶＣＬ  ＮＡＬユニットを符号化することを備える、請求項２に記載の方法。
【請求項５】
前記第２のレイヤの前記ＶＣＬ  ＮＡＬユニットが前記第２のレイヤの第２のピクチャのＶＣＬ  ＮＡＬユニットであり、前記第２のＳＥＩメッセージが前記第２のピクチャのＶＣＬ  ＮＡＬユニットに適用可能な第２のプレフィックスＳＥＩメッセージを備え、前記方法がさらに、
前記ビットストリーム中の前記第１のピクチャに後続する前記１つまたは複数の第２の非ＶＣＬ  ＮＡＬユニットを復号または符号化すること
を備える、請求項４に記載の方法。
【請求項６】
前記第１のレイヤの前記ＶＣＬ  ＮＡＬユニットが前記第１のレイヤの第１のピクチャのＶＣＬ  ＮＡＬユニットであり、前記第１のＳＥＩメッセージが前記第１のレイヤの前記第１のピクチャに適用可能な第１のサフィックスＳＥＩメッセージを備え、前記第１のレイヤの前記ＶＣＬ  ＮＡＬユニットとともに、前記第１のサフィックスＳＥＩメッセージを含む前記１つまたは複数の第１の非ＶＣＬ  ＮＡＬユニットを復号することが、前記ビットストリームにおいて前記第１のレイヤの前記ＶＣＬ  ＮＡＬユニットに後続する前記１つまたは複数の非ＶＣＬ  ＮＡＬユニットを復号することを備える、請求項１に記載の方法、または
前記第１のレイヤの前記ＶＣＬ  ＮＡＬユニットが前記第１のレイヤの第１のピクチャのＶＣＬ  ＮＡＬユニットであり、前記第１のＳＥＩメッセージが前記第１のレイヤの前記第１のピクチャに適用可能な第１のサフィックスＳＥＩメッセージを備え、前記第１のレイヤの前記ＶＣＬ  ＮＡＬユニットとともに、前記第１のサフィックスＳＥＩメッセージを含む前記１つまたは複数の第１の非ＶＣＬ  ＮＡＬユニットを符号化することが、前記ビットストリームにおいて前記第１のレイヤの前記ＶＣＬ  ＮＡＬユニットに後続する前記１つまたは複数の非ＶＣＬ  ＮＡＬユニットを符号化することを備える、請求項２に記載の方法。
【請求項７】
前記第２のレイヤの前記ＶＣＬ  ＮＡＬユニットが前記第２のレイヤの第２のピクチャのＶＣＬ  ＮＡＬユニットであり、前記第２のＳＥＩメッセージが前記第２のピクチャのＶＣＬ  ＮＡＬユニットに適用可能な第２のサフィックスＳＥＩメッセージを備え、前記方法がさらに、
前記ビットストリーム中の前記第２のピクチャに後続する前記１つまたは複数の第２の非ＶＣＬ  ＮＡＬユニットを符号化または復号すること
を備える、請求項５に記載の方法。
【請求項８】
前記第１のレイヤの第１のピクチャのＶＣＬ  ＮＡＬユニットと前記第１のピクチャの関連する非ＶＣＬ  ＮＡＬユニットとを含むピクチャユニットに基づいて、各ＳＥＩメッセージのための最大繰り返しパラメータを決定することをさらに備え、各ＳＥＩメッセージのための前記最大繰り返しパラメータがそれぞれのＳＥＩメッセージが繰り返され得る最大回数を表す、請求項１または請求項２に記載の方法。
【請求項９】
予測データと実際のビデオデータとの差を示す、前記第１のレイヤの前記ＶＣＬ  ＮＡＬユニットのための残差データを生成することと、
変換係数を生成するために変換を前記残差データに適用することと、
前記変換係数の指示を含むビットストリームを生成することと
をさらに備える、請求項２に記載の方法。
【請求項１０】
符号化されたビットストリームから前記ＶＣＬ  ＮＡＬユニットのための変換係数を取得することと、
残差データを生成するために逆変換を前記変換係数に適用することと、
前記生成された残差データに基づいて前記ビデオデータを決定することと
をさらに備える、請求項１に記載の方法。
【請求項１１】
ビデオデータをコーディングするための装置であって、前記装置が、
第１のレイヤおよび少なくとも１つの第２のレイヤを含むビデオデータのマルチレイヤビットストリームのアクセスユニットを取得するための手段と、ここにおいて、前記アクセスユニットを取得するための前記手段が、前記第１のレイヤの１つまたは複数のビデオコーディングレイヤ（ＶＣＬ）ネットワーク抽象化レイヤ（ＮＡＬ）ユニットを取得し、前記第２のレイヤの１つまたは複数のＶＣＬ  ＮＡＬユニットを取得するための手段を備え、
前記アクセスユニットをコーディングするための手段と、ここにおいて、前記アクセスユニットをコーディングするための前記手段は、前記ビットストリームが、前記第１のレイヤの前記ＶＣＬ  ＮＡＬユニットと、１つまたは複数の第１の非ＶＣＬ  ＮＡＬユニットとの間に、前記第１のレイヤ以外の任意のレイヤのいずれのコーディングされたピクチャも含まず、前記第２のレイヤの前記ＶＣＬ  ＮＡＬユニットと、１つまたは複数の第２の非ＶＣＬ  ＮＡＬユニットとの間に、前記第２のレイヤ以外の任意のレイヤのいずれのコーディングされたピクチャも含まないように、前記第１のレイヤの前記ＶＣＬ  ＮＡＬユニットとともに、前記第１のレイヤの前記ＶＣＬ  ＮＡＬユニットに適用可能な第１のＳＥＩメッセージを含む前記１つまたは複数の第１の非ＶＣＬ  ＮＡＬユニットだけをコーディングし、前記第２のレイヤの前記ＶＣＬ  ＮＡＬユニットとともに、前記第２のレイヤの前記ＶＣＬ  ＮＡＬユニットに適用可能な第２のＳＥＩメッセージを含む前記１つまたは複数の第２の非ＶＣＬ  ＮＡＬユニットをコーディングするための手段を備える
を備える、装置。
【請求項１２】
前記第１のレイヤの前記ＶＣＬ  ＮＡＬユニットが前記第１のレイヤの第１のピクチャのＶＣＬ  ＮＡＬユニットであり、前記第１のＳＥＩメッセージが前記第１のレイヤの前記第１のピクチャに適用可能な第１のプレフィックスＳＥＩメッセージを備え、前記第１のレイヤユニットの前記ＶＣＬ  ＮＡＬとともに、前記第１のプレフィックスＳＥＩメッセージを含む前記１つまたは複数の第１の非ＶＣＬ  ＮＡＬユニットをコーディングするための前記手段が、前記ビットストリームにおいて前記第１のレイヤの前記ＶＣＬ  ＮＡＬユニットに先行する前記１つまたは複数の非ＶＣＬ  ＮＡＬユニットをコーディングするための手段を備え、前記第２のレイヤの前記ＶＣＬ  ＮＡＬユニットが前記第２のレイヤの第２のピクチャのＶＣＬ  ＮＡＬユニットであり、前記第２のＳＥＩメッセージが前記第２のピクチャのＶＣＬ  ＮＡＬユニットに適用可能な第２のプレフィックスＳＥＩメッセージを備え、前記装置が好ましくはさらに、
前記ビットストリームにおける前記第１のピクチャに後続する前記１つまたは複数の第２の非ＶＣＬ  ＮＡＬユニットをコーディングするための手段を備える、請求項１１に記載の装置。
【請求項１３】
前記第１のレイヤの前記ＶＣＬ  ＮＡＬユニットが前記第１のレイヤの第１のピクチャのＶＣＬ  ＮＡＬユニットであり、前記第１のＳＥＩメッセージが前記第１のレイヤの前記第１のピクチャに適用可能な第１のサフィックスＳＥＩメッセージを備え、前記第１のレイヤの前記ＶＣＬ  ＮＡＬユニットとともに、前記サフィックスＳＥＩメッセージを含む前記１つまたは複数の第１の非ＶＣＬ  ＮＡＬユニットをコーディングするための前記手段が、前記ビットストリームにおいて前記第１のレイヤの前記ＶＣＬ  ＮＡＬユニットに後続する前記１つまたは複数の非ＶＣＬ  ＮＡＬユニットをコーディングするための手段を備える、請求項１１に記載の装置。
【請求項１４】
前記デバイスが、
集積回路、
マイクロプロセッサ、または
ワイヤレス通信デバイス
の少なくとも１つを備える、請求項１１に記載の装置。
【請求項１５】
命令を記憶した非一時的コンピュータ可読媒体であって、前記命令は、実行されると、１つまたは複数のプロセッサに、請求項１〜１０のいずれか一項に記載の方法を行わせる、非一時的コンピュータ可読媒体。